(57)【要約】【課題】地下への雨水の流入を早期に検知し、これを防止して地下浸水を回避できる地下への雨水流入防止装置を提供すること。【解決手段】地下への降下路４の段上り部２の下方に空室５を設け、その内部に雨水検知手段９を設ける。大雨洪水時に雨水が流入路６から空室５に流入し、水位が上昇したことを雨水検知手段９が検知すると、止水装置１０の止水体１１は下降し、地下への降下路４を遮蔽して、地下への雨水の流入を阻止する。【選択図】図１
2005282172.tif 000002
【特許請求の範囲】
【請求項１】
地下への降下路に形成された空室と、地表面とこの空室を連通させる雨水の流入路と、この空気の内部に設けられた雨水検知手段と、この雨水検知手段の出力信号により作動して降下路を遮断し、地下への雨水の流入を防止する止水装置を備えたことを特徴とする地下への雨水流入防止装置。
【請求項２】
前記雨水検知手段の出力信号により地下への雨水の流入を報知する報知手段を備えたことを特徴とする請求項１記載の地下への雨水流入防止装置。
【発明の詳細な説明】
【技術分野】
【０００１】
本発明は、地下街などの地下への雨水を防止するための雨水流入防止装置に関するものである。
【背景技術】
【０００２】
大雨洪水時には、地下鉄の地下駅、地下街、ビルの地下室などの地下への雨水の流入事故が発生する。従来、その対策としては、地下入口などの地下への降下路に土のうを積んだり、止水板を立てかけるなどして地下への雨水の流入を防止する手段等がとられていた。
【発明の開示】
【発明が解決しようとする課題】
【０００３】
しかしながらこのような従来の対策には相当の人力を必要とし、また殊に夜間、早朝などでは迅速に対応できず、地下浸水してしまい、単に浸水被害を受けるだけでなく、場合によっては人命も失われる事態となっていた。
【０００４】
そこで本発明は、地下への雨水の流入を早期に検知し、これを未然に防止して地下浸水を回避できる地下への雨水流入防止装置を提供することを目的とする。
【課題を解決するための手段】
【０００５】
本発明の地下への雨水流入防止装置は、地下への降下路に形成された空室と、地表面とこの空室を連通させる雨水の流入路と、この空気の内部に設けられた雨水検知手段と、この雨水検知手段の出力信号により作動して降下路を遮断し、地下への雨水の流入を防止する止水装置を備えた。
【０００６】
また本発明の地下への雨水流入防止装置は、請求項１の地下への雨水流入防止装置において、前記雨水検知手段の出力信号により地下への雨水の流入を報知する報知手段を備えた。
【発明の効果】
【０００７】
本発明によれば、大雨洪水時において、地表面にあふれた雨水が降下路を流下して地下へ流入する際、雨水の一部は流入路から空室内に流入する。そして雨水検知手段がこれを検出すると、止水装置は作動して地下への雨水の流入を阻止するので、地下浸水を確実に防止できる。
【発明を実施するための最良の形態】
【０００８】
以下、図面を参照して本発明の実施の形態を説明する。図１は地下への雨水流入防止装置の側面図、図２は同正面図、図３は制御系のブロック図である。
【０００９】
図１において、舗道１から地下への入口部の地表面には段上り部２が設けられており、段上り部２から地下へ下りるための階段３が設けられている。段上り部２の左端部の位置ａよりも右側の段上り部２及び階段３は地下への降下路４となっている。
【００１０】
段上り部２の内部下方には空室５が形成されている。空室５は細い流入路６により段上り部２などの地表面と連通している。空室５の下部には細いドレイン７が設けられている。ドレイン７は排水系（図外）に通じている。８はドレイン７の開閉部であり、手動操作あるいは自動操作により開閉される。
【００１１】
空室５の内部には雨水検知手段９が設けられている。本実施の形態の雨水検知手段９は雨水による端子同士の電気的導通によって、空室５内に雨水が溜ったことを検知するものであるが、フロート式の雨水検知手段なども適用できる。段上り部２の上方には止水装置１０の板状の止水体１１が設けられている。止水体１１は、降下路４の適所に設けてよいものであるが、本実施の形態では地下への入口部である段上り部２の上方に設けられている。
【００１２】
次に、図２を参照して止水装置１０を説明する。地下入口などの降下路４の側壁部２０には左右の側部戸当り１２が設けられており、止水体１１は側部戸当り１２に昇降自在に設けられている。側部戸当り１２上には横部材１３が設けられている。止水体１１の上部にはワイヤ１４の一端が取り付けられている。ワイヤ１４は横部材１３の上方に設けられたローラ１５を周回し、他端側はドラム１６に巻回されている。ドラム１６はモータ１７に駆動されて回転し、ワイヤ１４の巻上げ、巻戻しを行い、これにより止水体１１を昇降させる。勿論、モータ１７などの動力部以外に、止水体１１を昇降させるハンドルなどの手動操作手段を併設してもよい。
【００１３】
図３において、２１は制御部であり、雨水検知手段９、モータ１７を駆動するモータドライバ２２、雨水流入報知手段２３などが接続されている。雨水流入報知手段２３は、例えば警報発音器や警報灯などであり、地下鉄運行管理室、地下街管理室などの適所に設置される。なお雨水流入報知手段２３は、止水装置１０付近の歩行者にも報知するために、止水装置１０付近にも設けることが望ましい。
【００１４】
この地下への雨水流入防止装置は上記のような構成より成り、次にその動作を説明する。図１においては、大雨洪水により雨水が段上り部２を越流し、階段３から地下へ流入し始めると（矢印Ａ）、雨水の一部は流入路６を通って空室５へ流入する。そして空室５の水位が所定高さに上昇すると、雨水検知手段９はこれを検知する。するとモータ１７は駆動を開始し、上昇位置の止水体１１（図１において実線で示している）は下降し、段上り部２上に着地する（図１において、鎖線で示す止水体１１を参照）。これにより、雨水が地下に流入するのを阻止する。
【００１５】
開閉部８は、空室５に溜った雨水を排水するものであるが、これを閉にしていても、小雨の場合は雨水は空室５に実質的に流入しないので、雨水検知手段９が空室５内の水位上昇を検知し、止水装置１０が作動することはない。また開閉部８を開にしていても（このことは、開閉部８は必ずしも必要でないことを意味する）、ドレイン７の通水量を流入路６のそれよりも小さくしておけば、大雨洪水時には空室５には雨水が溜り、雨水検知手段９は空室５内の水位上昇を検知できる。いずれにせよ、空室５、流入路６、ドレイン７、雨水検知手段９等は、大雨洪水時に地下へ雨水が流入する場合、これを確実に検知できればよいものであり、その寸法等は自由に設計できる。また図１に破線で示す位置に流入路６’を形成して空室５に連通させてもよく、この場合、流入路６’の位置ｂよりも右側が下降路４となる。
【００１６】
本発明は上記実施の形態に限定されないのであって、例えば止水装置は上記止水装置以外にも、河川の水門に見られるような様々な方式のものが適用できる。
【産業上の利用可能性】
【００１７】
本発明の地下への雨水流入防止装置は、地下への雨水の流入を早期に検知し、これを阻止できるので、地下鉄の地下駅、地下街、ビルの地下室などの地下への雨水の流入防止手段として産業上利用できる。
【図面の簡単な説明】
【００１８】
【図１】本発明の実施の形態における地下への雨水流入防止装置の側面図
【図２】本発明の実施の形態における地下への雨水流入防止装置の正面図
【図３】本発明の実施の形態における地下への雨水流入防止装置の制御系のブロック図
【符号の説明】
【００１９】
１  地表面
２  段上り部
３  階段
４  降下路
５  空室
６  流入路
９  雨水検知手段
１０  止水装置
１１  止水体
【図１】
2005282172.tif 000003
【図２】
2005282172.tif 000004
【図３】
2005282172.tif 000005